【手続補正書】
【提出日】平成21年9月18日(2009.9.18)
【手続補正１】
【補正対象書類名】明細書
【補正対象項目名】０００７
【補正方法】変更
【補正の内容】
【０００７】
請求項１に記載の発明に係るアンテナ装置（図１４の第５実施形態を参照）は、
複数毎の磁性薄板を積層してから構成されたコア（３１）と、このコアに巻回されたコイル（３０）とを備え、電子機器の機器ケース内に設置されるアンテナ装置（３０Ｅ）において、
前記コアの上方位置に固定された薄膜状磁性体（３８Ｅ−２）と、
この薄膜状磁性体と前記コアとを磁気的に連結するために、両者の間に介在して配置された磁性スペーサ（３８Ｅ−１）と、
を備えていることを特徴とする。
【手続補正２】
【補正対象書類名】明細書
【補正対象項目名】０００８
【補正方法】変更
【補正の内容】
【０００８】
請求項２に記載の発明に係るアンテナ装置（図１４の第５実施形態を参照）は、
磁性材料からなるコア（３１）と、
このコアの中央部に巻回されたコイル（３０）と、
前記コアの両端部の上方位置に固定された外部磁性体（３８Ｅ）と、
この外部磁性体と前記コアとの間の隙間に介在して配置され、両者を磁気的に連結するための磁性スペーサ（３８Ｅ−１）と、
を備えていることを特徴とする。
また、請求項３に記載の発明に係るアンテナ装置は、請求項１に記載のアンテナ装置において、前記薄膜状磁性体（３８Ｅ−２）は、前記コアの上方位置に設けられた固定部材(２１)により固定されていることを特徴とする。
【手続補正３】
【補正対象書類名】明細書
【補正対象項目名】０００９
【補正方法】変更
【補正の内容】
【０００９】
請求項４に記載の発明に係るアンテナ装置は、請求項２に記載のアンテナ装置において、前記外部磁性体（３８Ｅ−２）は、前記コアの上方位置に設けられた固定部材(２１)により固定されていることを特徴とする。
【手続補正４】
【補正対象書類名】明細書
【補正対象項目名】００１０
【補正方法】変更
【補正の内容】
【００１０】
請求項５に記載の発明に係るアンテナ装置は、請求項３または４に記載のアンテナ装置において、前記固定部材は、文字板(２１)であることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項６に記載の発明に係る電子機器（例えば、図１の腕時計１）は、
請求項１に記載のアンテナ装置（例えば、図１４の３０Ｅ）と、
このアンテナ装置を収納した機器ケース(例えば、図１の１０)と、
を備えたことを特徴とする。
【手続補正７】
【補正対象書類名】明細書
【補正対象項目名】００１３
【補正方法】変更
【補正の内容】
【００１３】
請求項７に記載の発明に係る電子機器（例えば、図１の腕時計１）は、
請求項２に記載のアンテナ装置（図１４の３０Ｅ）と、
このアンテナ装置を収納した機器ケース(例えば、図１の１０)と、
を備えたことを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
請求項１に記載の発明において、「薄膜状磁性体」とは、例えば、コアを構成する薄板と同様のものであっても良いし、箔体や、磁性粉を塗着したものであっても良い。
【手続補正１７】
【補正対象書類名】明細書
【補正対象項目名】００２３
【補正方法】変更
【補正の内容】
【００２３】
請求項１に記載の発明において、前記コアと前記薄膜状磁性体との間に、前記コアと前記薄膜状磁性体とを磁気的に連結する磁性スペーサが介在して配置されているが、「磁気的に連結」とは、両者が接触している場合の他、両者が小さな隙間で対峙する場合も含む。要は、両者によってコイルの磁束が増大することである。
請求項２に記載の発明の場合も、同様である。
【手続補正１８】
【補正対象書類名】明細書
【補正対象項目名】００２４
【補正方法】変更
【補正の内容】
【００２４】
請求項１に記載の発明によれば、薄膜状磁性体とコアとを磁気的に連結するために、両者の間に介在して配置された磁性スペーサを備えているので、外部からの電波の磁束を薄膜状磁性体により効率よく集磁し、この集磁された磁束を薄膜状磁性体から磁性スペーサを介してコアに導き、このコアに導かれた磁束をコイル内に導くことができ、したがって、磁束密度が増大することから、アンテナの受信感度の向上を図ることができる。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】変更
【補正の内容】
【００４０】
請求項１に記載の発明によれば、そればかりでなく、コアと薄膜状磁性体との間に隙間がある場合にも、磁性スペーサによってコアと薄膜状磁性体とを磁気的に連結することができる。
請求項２に記載の発明によれば、コアの両端部の上方位置に固定された外部磁性体とコアとの間の隙間に両者を磁気的に連結するための磁性スペーサを介在して配置しているので、外部からの電波の磁束を外部磁性体により効率よく集磁し、この集磁された磁束を薄膜状磁性体から磁性スペーサを介してコアに導き、このコアに導かれた磁束をコイル内に導くことができ、したがって、磁束密度が増大することから、アンテナの受信感度の向上を図ることができる。
【手続補正３５】
【補正対象書類名】特許請求の範囲
【補正対象項目名】全文
【補正方法】変更
【補正の内容】
【特許請求の範囲】
【請求項１】
複数毎の磁性薄板を積層してから構成されたコアと、このコアに巻回されたコイルとを備え、電子機器の機器ケース内に設置されるアンテナ装置において、
前記コアの上方位置に固定された薄膜状磁性体と、
この薄膜状磁性体と前記コアとを磁気的に連結するために、両者の間に介在して配置された磁性スペーサと、
を備えていることを特徴とするアンテナ装置。
【請求項２】
磁性材料からなるコアと、
このコアの中央部に巻回されたコイルと、
前記コアの両端部の上方位置に固定された外部磁性体と、
この外部磁性体と前記コアとの間の隙間に介在して配置され、両者を磁気的に連結するための磁性スペーサと、
を備えていることを特徴とするアンテナ装置。
【請求項３】
前記薄膜状磁性体は、前記コアの上方位置に設けられた固定部材により固定されていることを特徴とする請求項１に記載のアンテナ装置。
【請求項４】
前記外部磁性体は、前記コアの上方位置に設けられた固定部材により固定されていることを特徴とする請求項２に記載のアンテナ装置。
【請求項５】
前記固定部材は、文字板であることを特徴とする請求項３または４に記載のアンテナ装置。
【請求項６】
請求項１に記載のアンテナ装置と、
このアンテナ装置を収納した機器ケースと、
を備えたことを特徴とする電子機器。
【請求項７】
請求項２に記載のアンテナ装置と、
このアンテナ装置を収納した機器ケースと、
を備えたことを特徴とする電子機器。